(57)【要約】【課題】  電子部品を有する構造でありながら、屋外で使用できる改札装置を提供する。【解決手段】  屋外に設置される改札装置であって、利用者の改札を行うための電子部品で構成された監視手段２０と、監視手段２０を収納する筐体１０であって、前記利用者が通過するためのゲート１ａを構成する筐体１０とを備え、筐体１０は、前記電子部品を収納する筐体本体部１１と、筐体本体部１１に取り付けられ開状態とすることで監視手段２０の一部又は全部にアクセス可能な扉部１７と、筐体１０の内部へ侵入した水を前記電子部品にかからないように案内する案内部１８とを有する改札装置１とする。【選択図】  図１
2005235069.tif 000002
【特許請求の範囲】
【請求項１】
屋外に設置される改札装置であって；
利用者の改札を行うための電子部品で構成された監視手段と；
前記監視手段を収納する筐体であって、前記利用者が通過するためのゲートを構成する筐体とを備え；
前記筐体は、前記電子部品を収納する筐体本体部と、該筐体本体部に取り付けられ開状態とすることで前記監視手段の一部又は全部にアクセス可能な扉部と、該筐体の内部へ侵入した水を前記電子部品にかからないように案内する案内部とを有する；
改札装置。
【請求項２】
前記扉部は、鉛直方向に向いて配置された矩形の平板で構成され、前記案内部は、前記平板の上辺部分と側辺部分に位置する、前記筐体本体部及び前記扉部のいずれか一方に設けられた樋であり、前記筐体本体部及び前記扉部の他方には、前記樋にかぶるように構成された庇部が設けられた；
請求項１に記載の改札装置。
【請求項３】
前記筐体は、前記平板の下辺部分に位置する、前記筐体本体部及び前記扉部のいずれか一方に外側に向けて設けられた返し部を有し、前記筐体本体部及び前記扉部の他方には、前記返し部にかぶるように構成された第２の庇部が設けられた；
請求項１又は請求項２に記載の改札装置。
【請求項４】
前記扉部は、前記監視手段の第１の部分にアクセス可能な第１の保守用扉と、前記第１の部分と前記監視手段の前記第１の部分と異なる第２の部分とにアクセス可能な第２の保守用扉とを有する；
請求項１乃至請求項３のいずれか１項に記載の改札装置。
【請求項５】
前記筐体は、前記監視手段の一部又は全部を覆う透明なカバーを有する；
請求項１乃至請求項４のいずれか１項に記載の改札装置。
【請求項６】
一対で前記利用者が通過するための１つのゲートを構成する筐体であって；
前記一対の筐体の一方から放射される光を検出し、前記利用者の通過を検知する光検出器を備え；
前記光検出器は、光検出部と該光検出部に入射する光の不要部を遮光する遮光部を含んで構成され、前記遮光部は、前記改札装置が設置されたときに、太陽光が前記光検出部に入射しないように遮光するように構成され；
前記光検出器は、前記光検出部に隣接して設けられた発光部を有し、前記一対の筐体の他方には、前記発光部からの光を前記光検出部に向けて反射する再帰反射素子を配置した；
請求項１乃至請求項５のいずれか１項に記載の改札装置。
【発明の詳細な説明】
【技術分野】
【０００１】
本発明は、改札装置に関し、特に電子部品を有する構造でありながら、屋外で使用できる改札装置に関する。
【背景技術】
【０００２】
従来の改札装置としては、例えば施設の出入口に設けられ、プラスチックカード（ＩＤカード）により利用者の入退場を管理することで、施設の秘密性を維持することができる改札装置があった（例えば、特許文献１参照。）。
【特許文献１】特開２００１−２０２５３５号公報  （第５−７頁、第４−５図）
【発明の開示】
【発明が解決しようとする課題】
【０００３】
しかし、以上のような改札装置では、例えば内蔵される電子部品に雨水がかかることで故障してしまうので、屋外では使用できなかった。
【０００４】
そこで本発明は、電子部品を有する構造でありながら、屋外で使用できる改札装置を提供することを目的とする。
【課題を解決するための手段】
【０００５】
上記目的を達成するために、請求項１に係る発明による改札装置１は、例えば図１、図２、図３に示すように、屋外に設置される改札装置であって；利用者の改札を行うための電子部品で構成された監視手段２０と；監視手段２０を収納する筐体１０であって、前記利用者が通過するためのゲート１ａを構成する筐体１０とを備え；筐体１０は、前記電子部品を収納する筐体本体部１１と、筐体本体部１１に取り付けられ開状態とすることで監視手段２０の一部又は全部にアクセス可能な扉部１７と、筐体１０の内部へ侵入した水を前記電子部品にかからないように案内する案内部１８とを有する。
【０００６】
このように構成すると、屋外に設置される改札装置であって、利用者の改札を行うための電子部品で構成された監視手段２０と、監視手段２０を収納する筐体１０であって、前記利用者が通過するためのゲート１ａを構成する筐体１０とを備えている。さらに筐体１０は、前記電子部品を収納する筐体本体部１１と、筐体本体部１１に取り付けられ開状態とすることで監視手段２０の一部又は全部にアクセス可能な扉部１７と、筐体１０の内部へ侵入した水を前記電子部品にかからないように案内する案内部１８とを有するので、例えば筐体１０の内部へ侵入した水が電子部品にかかることがなく、電子部品を有する構造でありながら、屋外で使用できる改札装置１を提供できる。
【０００７】
また請求項２に記載のように、請求項１に記載の改札装置１では、例えば図２、図６、図７に示すように、扉部１７は、鉛直方向に向いて配置された矩形の平板で構成され、案内部１８は、前記平板の上辺部分と側辺部分に位置する、筐体本体部１１及び扉部１７のいずれか一方に設けられた樋１８ａであり、筐体本体部１１及び扉部１７の他方には、樋１８ａにかぶるように構成された庇部１８ｂが設けられているとよい。
【０００８】
このように構成すると、扉部１７は、鉛直方向に向いて配置された矩形の平板で構成され、案内部１８は、前記平板の上辺部分と側辺部分に位置する、筐体本体部１１及び扉部１７のいずれか一方に設けられた樋１８ａであり、筐体本体部１１及び扉部１７の他方には、樋１８ａにかぶるように構成された庇部１８ｂが設けられているので、例えば侵入した水を樋１８ａにより案内することで、電子部品に水がかかることがない。
【０００９】
また請求項３に記載のように、請求項１又は請求項２に記載の改札装置１では、例えば図２、図９に示すように、筐体１０は、前記平板の下辺部分に位置する、筐体本体部１１及び扉部１７のいずれか一方に外側に向けて設けられた返し部６１を有し、筐体本体部１１及び扉部１７の他方には、返し部６１にかぶるように構成された第２の庇部６２が設けられているとよい。
【００１０】
このように構成すると、筐体１０は、前記平板の下辺部分に位置する、筐体本体部１１及び扉部１７のいずれか一方に外側に向けて設けられた返し部６１を有し、筐体本体部１１及び扉部１７の他方には、返し部６１にかぶるように構成された第２の庇部６２が設けられているので、例えば、地面で跳ね返った水が返し部６１により案内されることで、電子部品に水がかかることがない。
【００１１】
また請求項４に記載のように、請求項１乃至請求項３のいずれか１項に記載の改札装置１では、例えば図２に示すように、扉部１７は、監視手段２０の第１の部分にアクセス可能な第１の保守用扉１７ａと、前記第１の部分と監視手段２０の前記第１の部分と異なる第２の部分とにアクセス可能な第２の保守用扉１７ｂとを有するとよい。
【００１２】
このように構成すると、扉部１７は、監視手段２０の第１の部分にアクセス可能な第１の保守用扉１７ａと、前記第１の部分と監視手段２０の前記第１の部分と異なる第２の部分とにアクセス可能な第２の保守用扉１７ｂとを有するので、例えば第１の部分へのアクセスが必要な場合に、第１の保守用扉１７ａのみ開状態とすれば良いので、不用な部分を露出させることがない。
【００１３】
また請求項５に記載のように、請求項１乃至請求項４のいずれか１項に記載の改札装置１では、例えば図５に示すように、筐体１０は、監視手段２０の一部又は全部を覆う透明なカバー１９を有するとよい。
【００１４】
このように構成すると、筐体１０は、監視手段２０の一部又は全部を覆う透明なカバー１９を有するので、例えば、扉部１７を開状態とした際であっても、透明なカバー１９により監視手段２０が直接風雨にさらされることがない。
【００１５】
また請求項６に記載のように、請求項１乃至請求項５のいずれか１項に記載の改札装置１では、例えば図１、図１０に示すように、一対で前記利用者が通過するための１つのゲート１ａを構成する筐体１０であって；前記一対の筐体１０の一方から放射される光を検出し、前記利用者の通過を検知する光検出器５１を備え；光検出器５１は、光検出部５２と光検出部５２に入射する光の不要部を遮光する遮光部５４を含んで構成され、遮光部５４は、改札装置１が設置されたときに、太陽光が光検出部５２に入射しないように遮光するように構成され；光検出器５１は、光検出部５２に隣接して設けられた発光部５３を有し、前記一対の筐体１０の他方には、発光部５３からの光を光検出部５２に向けて反射する再帰反射素子５５を配置するとよい。このように構成すると、例えば外乱光による影響が少なく、屋外であっても正確に利用者の通過を検出できる。
【発明の効果】
【００１６】
以上のように本発明によれば、屋外に設置される改札装置であって、利用者の改札を行うための電子部品で構成された監視手段と、前記監視手段を収納する筐体であって、前記利用者が通過するためのゲートを構成する筐体とを備え、前記筐体は、前記電子部品を収納する筐体本体部と、該筐体本体部に取り付けられ開状態とすることで前記監視手段の一部又は全部にアクセス可能な扉部と、該筐体の内部へ侵入した水を前記電子部品にかからないように案内する案内部とを有するので、電子部品を有する構造でありながら、屋外で使用できる改札装置を提供できる。
【発明を実施するための最良の形態】
【００１７】
以下、本発明の実施の形態について、図面を参照して説明する。なお、各図において互いに同一あるいは相当する部材には同一符号を付し、重複した説明は省略する。
【００１８】
図１は、本発明の実施の形態に係る改札装置としての自動改札機１を説明する斜視図である。自動改札機１は屋外に設置されるものである。自動改札機１は、例えば入退場を管理したい施設の出入口に設置されるものである。自動改札機１は、利用者の改札を行うための電子部品で構成された監視手段としての制御装置２０（図中破線で表示）と、制御装置２０を収納する筐体であって、利用者が通過するためのゲートを構成する筐体１０を備えている。本実施の形態では、筐体１０は、一対で利用者が通過するための１つのゲート１ａを構成する。言い換えれば２つの筐体１０で１つのゲート１ａを構成する。なおここでは筐体１０は一対で１つのゲート１ａを構成する場合で説明するがこれに限られない。例えば１つの筐体１０と不図示の壁や板材等により１つのゲートを構成してもよいし、また３つの筐体１０で２つのゲートを構成してもよい。言い換えれば複数の筐体１０で複数のゲートを構成してもよい。以下筐体１０は、一対で１つのゲート１ａを構成する場合で説明する。
【００１９】
図示のように、ゲート１ａの通過する利用者に対して改札を行う。一対の筐体１０の設置間隔即ちゲート１ａの幅は、例えば利用者１人が通過できる程度に設定するとよい。言い換えれば利用者がゲート１ａの幅方向に２人以上並んで通過出来ない程度に設定する。ここでは図中奥側の筐体１０を筐体１０ａ、手前側の筐体１０を筐体１０ｂという。以下これらを特に区別しないときには単に筐体１０という。なお改札とは、例えば乗車券をチェックする場合の他、利用者の持つカード（ＩＣカード等）により利用者が通過を許してよい者か否かをチェックする場合も含む。ここでは後述のように、利用者が提示するカード媒体としてＩＣカード３を用いる場合で説明する。
【００２０】
ここでＩＣカード３について説明する。ＩＣカード３は、例えば無線式のＩＣカードである。また、ＩＣカード３を提示するとは、例えば、所定の位置にＩＣカード３をかざす、又は所定の位置に軽く接触させる即ち１タッチすることである。所定の場所は、例えば図２で後述するカードリーダ収納部１５のカード提示面１５ｃの位置である。またＩＣカード３は、およそクレジットカードと同じ形状である。ＩＣカード３には、既存の無線式のＩＣカードを用いるとよい。ＩＣカード３には、カード情報を含む情報が記録されている。情報は、例えばビット列で記録される。また、ＩＣカード３は、これらの情報を、電波を用いて非接触で読出し又は書込みできるものである。ＩＣカード３は、所定の場所にＩＣカード３をかざすまたは１タッチすることで、後述のカードリーダ３０（図３参照）により、情報が読出し又は書込みされる。カード情報は、例えばカードＩＤ番号である。
【００２１】
ここで図２を参照して、自動改札機１についてさらに説明する。（ａ）は図１に示した筐体１０ａをゲート１ａ内側言い換えれば筐体１０ｂ側から見た側面図である。（ｂ）は（ａ）のＡ−Ａ’断面図であり、（ｃ）は（ａ）のＢ−Ｂ’断面図である。筐体１０は、電子部品を収納する筐体本体部１１を有している。言い換えれば、筐体本体部１１は制御装置２０を収納している。筐体本体部１１は、上部に設けられ、略水平方向に延伸した中空の構造部材で形成された筐体上部１１ａと、筐体上部１１ａの両端部にそれぞれ設けられ、略鉛直方向に延伸した中空の構造部材で形成された第１の支柱としての端部支柱１１ｂと、筐体上部１１ａの略中央部部分に設けられ、略鉛直方向に延伸した中空の構造部材で形成された第２の支柱としての中央角パイプ１１ｃとを含んで構成されている。筐体上部１１ａは、角パイプの両端部が略半円の曲面で塞がれ、さらに下部に筐体上部１１ａの幅より小さい幅を有した切欠部１１ａ―１が角パイプの延伸方向に形状されたものである（（ｂ）参照）。言い換えれば筐体上部１１ａは、下部に開口部分がくるように配設されたリップ溝形鋼の両端部を略半円の曲面で塞いだものである。また端部支柱１１ｂは、断面が略半円形状のパイプで形成されている（（ｃ）参照）。端部支柱１１ｂは互いに半円の弦の部分が対向するように配置されている。
【００２２】
さらに２つの端部支柱１１ｂ及び中央角パイプ１１ｃの下端部は、略水平方向に延伸した中空の構造部材で形成されたベース部１１ｄに固着されている。ベース部１１ｄは床面に載置される。言い換えれば筐体本体部１１は、ベース部１１ｄを介して床面に設置される。ベース部１１ｄは、筐体上部１１ａとほぼ同じ長さを有している。またベース部１１ｄは、筐体上部１１ａと同様な端部形状即ち角パイプの両端部が略半円の曲面で塞がれた形状である。即ち筐体上部１１ａとベース部１１ｄを鉛直上方から見た場合に、ほぼ同じ形状、寸法である。
【００２３】
筐体上部１１ａと、中央角パイプ１１ｃと、ベース部１１ｄと、一方の端部支柱１１ｂ（ここでは図中右側の端部支柱１１ｂ）とで囲まれることで形成された空間１１ｅには筐体１０の通り抜けを防止するガラス板１３が取り付けられている。ガラス板１３は、中央角パイプ１１ｃと、端部支柱１１ｂとにブラケット１３ａを介して取り付けられる。このようにすることで空間１１ｅを後述の保護カバー１２で覆ってしまう場合と比較して利用者の圧迫感を軽減することができる。言い換えれば利用者に開放的な印象を与えることができる。
【００２４】
筐体本体部１１は、収納された電子部品を保護する保護カバー１２を有している。保護カバー１２は、鉛直方向に向いて配置された矩形の平板としての背板１２ａと、水平方向に向いて配置された矩形の平板としての底板１２ｂとを含んで構成されている。保護カバー１２は、筐体上部１１ａと、中央角パイプ１１ｃと、ベース部１１ｄと、もう一方の端部支柱１１ｂ（ここでは図中左側の端部支柱１１ｂ）とで囲まれることで形成された空間１１ｆを覆うように配設されている。背板１２ａは、中央角パイプ１１ｃの一部を隙間をもって覆うように構成されている。このように端部支柱１１ｂと保護カバー１２により、筐体本体部１１には箱形の電子部品収納部１４が形成される。電子部品収納部１４には制御装置２０が収納される。
【００２５】
また保護カバー１２（背板１２ａ）と筐体上部１１ａとの接合部及び保護カバー１２（背板１２ａ）と端部支柱１１ｂとの接合部には防水シールが施されている。防水シールは、ここでは上記各接合部でシリコンゴムを挟み込んで接合している。このため筐体本体部１１は、上記部位から内部への水の侵入は無い構造となっている。
【００２６】
さらに筐体本体部１１は、後述のカードリーダ３０を収納可能であるカードリーダ収納部１５を有している。カードリーダ収納部１５は、およそ２つの半円を直線で接続した底面を持つ箱型の形状を有している。カードリーダ収納部１５は、筐体上部１１ａの両端部分に載置されている。なお、カードリーダ３０については図３で後述する。またカードリーダ収納部１５は、ゲート１ａ内側（図中手前側）の一部に平面で形成されたカード提示面１５ｃを有している。
【００２７】
またカードリーダ収納部１５は、（ｂ）に示すように、カードリーダ３０を載置するためのカードリーダ載置部１５ａと、カードリーダ３０を覆うためのカードリーダカバー１５ｂとを含んで構成される。カードリーダ載置部１５ａの上面（載置面）は、筐体上部１１ａの上面より高い位置に形成されている。またカードリーダ載置部１５ａは、上部よりも下部が小さい形状具体的には側面から見るとおよそ凸字を上下逆にした形状を有している。カードリーダカバー１５ｂは、その下端部が筐体上部１１ａの上面に当接するように形成されている。またカードリーダ収納部１５は、カードリーダ載置部１５ａの上部の外周面と、カードリーダカバー１５ｂの内面とがおよそ内接するような構成となっている。このようにすることで、例えばカードリーダカバー１５ｂと筐体上部１１ａとの隙間から雨水が侵入したとしても、カードリーダ３０に雨水がかかることがない。また、カードリーダ載置部１５ａと筐体上部１１ａとの接合部には防水シールが施されている。このため筐体本体部１１は、この接合部から内部に雨水が侵入することが無い構造となっている。
【００２８】
ここで図３を参照して、制御装置２０について説明する。図２（ａ）の側面図で、扉部１７を取り除いた場合を示す図である。制御装置２０は、自動改札機１の制御を行う制御基板２１と、制御基板２１へ電源を供給する電源装置２５と、利用者が提示するカード媒体としてのＩＣカード３（図１参照）に記録されたカード情報の読み書き処理をするカード処理手段としてのカードリーダ３０とを含んで構成される。即ち電子部品で構成された装置である。以下各構成について説明する。
【００２９】
制御基板２１は、主制御基板２２と、副制御基板２３とで構成されている。主制御基板２２は、電子部品収納部１４のおよそ中央部分左側に配置され、副制御基板２３は、主制御基板２２の右側に併設されている。言い換えれば副制御基板２３は電子部品収納部１４のおよそ中央部分右側に配置されている。主制御基板２２上には、エラーが発生した際にそのエラーコードを表示するコード表示部２２ａが備えられている。コード表示部２２ａは主制御基板２２のおよそ中央部分に配置されている。ここではコード表示部２２ａは、デジタル表示にてエラーコードを表示するように構成されている。また主制御基板２２には、エラーが発生した際にそれを解除するための解除スイッチ２２ｂが接続されている。解除スイッチ２２ｂは、主制御基板２２の上方左側に配設されている。
【００３０】
電源装置２５は、外部から電源の供給を受け入れ、また制御基板２１等の電子部品に電源を安定供給するものである。電源装置２５は、主制御基板２２の下方に配設されている。言い換えれば電源装置２５は、電子部品収納部１４のおよそ下部左側に配置されている。また電源装置２５は、自動改札機１の電源スイッチである電源スイッチ２５ａを有している。電源スイッチ２５ａは、電源装置２５の左側下部に配設されている。また電源装置２５の右側には、配電盤２５ｃが配設されている。
【００３１】
カードリーダ３０は、利用者が提示するＩＣカード３に情報の読み書き処理をするものである。カードリーダ３０は制御基板２１へ電気的に接続されている。カードリーダ３０は、カードリーダ収納部１５内に収納される。カードリーダ３０は、非接触でＩＣカード３に情報の読み書きをする読み書き部としてのアンテナ部３１を有している。アンテナ部３１は、およそカード提示面１５ｃの裏面（カードリーダ収納部内部側の面）の位置近傍に配置されている。アンテナ部３１は、利用者によりＩＣカード３がカード提示面１５ｃの位置にかざされる又は１タッチされたとき、言い換えればＩＣカード３がカード提示面１５ｃの位置もしくはその近傍に存在するときに、ＩＣカード３に情報の読み書きをできるように構成されている。
【００３２】
また制御装置２０は、音による情報を出力するスピーカ２７を備えている。スピーカ２７は、制御基板２１に電気的に接続されている。またスピーカ２７は、電子部品収納部１４のおよそ上部右側に配設されている。制御装置２０は、スピーカ２７により、例えばカードリーダ３０によるＩＣカード３の読み書きの確認音や、エラーが発生した際の警報音を出力できる。
【００３３】
さらに制御装置２０は、利用者の通過を検知する利用者検知手段としての利用者検知センサ５０を備えている。利用者検知センサ５０は、筐体上部１１ａに複数の備えられている。なお利用者検知センサ５０については、図１０を参照して後で詳述する。
【００３４】
制御装置２０は利用者の持つＩＣカード３により利用者が通過を許してよい者か否かを判定するように構成されている。この判定は、制御基板２１で行うように構成されている。具体的には、例えばカードリーダ３０で読み取ったカード情報に含まれるカードＩＤ番号がゲート１ａの通過を許可してよい者の番号であるか否かを判定する。また判定結果がカードＩＤ番号がゲート１ａの通過を許可してよい者の番号でない場合には、例えば制御基板２１は、スピーカ２７により警報音を出力することで、利用者あるいは係員にその旨を伝えるように構成されている。
【００３５】
図２に戻って説明する。さらに、筐体１０は、筐体本体部１１に取り付けられ、開状態とすることで制御装置２０の一部又は全部にアクセス可能な扉部１７を有している。扉部１７は、鉛直方向に向いて配置された矩形の平板で構成されている。扉部１７は、筐体上部１１ａと、中央角パイプ１１ｃと、ベース部１１ｄと、もう一方の端部支柱１１ｂ（ここでは図中左側の端部支柱１１ｂ）とで囲まれることで形成された空間１１ｆを覆うように配設されている。言い換えれば、保護カバー１２に対向するように、即ち電子部品収納部１４を覆うように配設されている。
【００３６】
また扉部１７は、制御装置２０の第１の部分にアクセス可能な第１の保守用扉１７ａと、制御装置２０の第１の部分と異なる第２の部分とにアクセス可能な第２の保守用扉１７ｂとを有している。第１の部分は簡単な保守例えば自動改札機１の運用を行う者（以下係員という）がエラーコード等を確認、あるいはエラーの解除を行ったり、電源を操作するのにアクセスが必要な部分である。第２の部分は、大掛かりな保守例えば自動改札機１の保守を行う者（保守員）が制御基板２１等を交換するのにアクセスが必要な部分である。具体的には第１の部分は、制御装置２０のうち、図３で前述したコード表示部２２ａと、解除スイッチ２２ｂと、電源スイッチ２５ａと、これらの近傍を含む部分である。第２の部分は、制御装置２０のうち、電子部品収納部１４に収納された部分で第１の部分を除く部分である。なおアクセス可能とは、所定の部位を目視できるあるいは触れることができる即ち操作できる状態をいう。
【００３７】
第１の保守用扉１７ａは、およそ端部に位置する鉛直方向の回動軸を中心に回動可能に取り付けられている。ここでは回動軸は、端部支柱１１ｂに隣接する側の端部に位置している（図中左側）。第１の保守用扉１７ａは、この回動軸を中心に、図中手前方向に回動させることで開放できる。第２の保守用扉１７ｂは、不図示の取り付けネジにより固定されている。第２の保守用扉１７ｂは、この取り付けネジを緩めるまたは取り外すことにより、図中手前側に取り外すことができる。即ち第２の保守用扉１７ｂを開放することができる。
【００３８】
また第１の保守用扉１７ａには、不図示の鍵のみにより開錠可能な錠１７ｃが取り付けられている。例えば係員又は保守員は、不図示の鍵により錠１７ｃを開錠することで、第１の保守用扉１７ａを開放することができる。即ち不図示の鍵を用いないと第１の保守用扉１７ａを開放できない構造となっている。これにより、例えば係員又は保守員以外のものが扉部１７を開放することができないので、安全に運用することができる。なお、第２の保守用扉１７ｂは、第１の保守用扉１７ａが開状態でないと開放することが出来ない構造を有している。具体的には第１の保守用扉１７ａを開放しないとアクセスできない位置に、第２の保守用扉１７ｂを固定している取り付けネジが配置されている。
【００３９】
ここで図４を参照して、第１の保守用扉１７ａと第２の保守用扉１７ｂについて具体的に説明する。（ａ）は第１の保守用扉１７ａのみ開放した状態を示す側面図であり、（ｂ）は第１の保守用扉１７ａ及び第２の保守用扉１７ｂを開放した状態を示す側面図である。（ａ）に示すように、第１の保守用扉１７ａを開放すると、主制御基板２２の一部と、電源装置２５の一部にアクセスが可能になる。さらに言えば、コード表示部２２ａと、解除スイッチ２２ｂと、電源スイッチ２５ａとにアクセスが可能になる。言い換えれば、第１の保守用扉１７ａは、コード表示部２２ａと、解除スイッチ２２ｂと、電源スイッチ２５ａとにアクセス可能な程度の大きさを有している。ここでは第１の保守用扉１７ａは、扉部１７全体のおよそ１／３程度の大きさを有している。このように、第１の保守用扉１７ａを係員が運用するのに必要な部分のみにアクセス可能な大きさとすることで、例えば雨が降っている状態で電源等の操作をする場合であっても、第１の保守用扉１７ａのみ開放すること足りるので、不用な部分を露出させることがなく、故障を発生しにくい。
【００４０】
また（ｂ）に示すように、第２の保守用扉１７ｂを開放することで、少なくとも制御装置２０の第１の部分と第２の部分例えば主制御基板２２や副制御基板２３等に容易にアクセス可能であるので、例えば保守員が制御基板２１等を交換を行うことが容易に行える。
【００４１】
図５に示すように、筐体１０は、制御装置２０の一部又は全部を覆う透明なカバーとしての透明フィルム１９を有している。透明フィルム１９は可撓性のある薄い透明なフィルムである。本実施の形態では透明なカバーは透明フィルムである。透明フィルム１９は、第１の保守用扉１７ａの開放で露出する制御装置２０の部分言い換えれば第１の部分を覆う程度の大きさを有している。ここでは、主制御基板２２と、電源装置２５で第１の保守用扉１７ａを開放した際に露出する部部を覆う程度の大きさである。透明フィルム１９を備えることで、第１の保守用扉１７ａを開放した場合であっても、制御装置２０が風雨に直接さらされることが無い。さらに透明フィルム１９を通してコード表示部２２ａを目視でき、あるいは解除スイッチ２２ｂや電源スイッチ２５ａを透明フィルム１９を介して操作できるので、例えば雨が降っていても、制御装置２０に雨水がかかることが無い。
【００４２】
図２に戻って、さらに筐体１０について説明する。筐体１０は、筐体１０の内部へ侵入した水を電子部品言い換えれば制御装置２０にかからないように案内する案内部１８とを有している。ここで水とは例えば雨水である。案内部１８は、扉部１７の平板の上辺部分と側辺部分に位置する、筐体本体部１１及び扉部１７のいずれか一方に設けられた樋１８ａである。また、筐体本体部１１及び扉部１７の他方には、樋１８ａにかぶるように構成された庇部１８ｂが設けられている。筐体１０は例えば複数の樋１８ａと樋１８ａに対応する庇部１８ｂにより侵入した水を案内することで電子備品へ水がかかることを防ぐ。さらに筐体１０は、扉部１７の平板の下辺部分に位置する、筐体本体部１１及び扉部１７のいずれか一方に外側に向けて設けられた返し部６１を有し、筐体本体部１１及び扉部１７の他方には、返し部６１にかぶるように構成された第２の庇部６２が設けられている。
【００４３】
ここで筐体１０の防水構造について説明する。なお筐体１０は密閉構造としない。これは例えば制御装置２０の発する熱が外部へ放出されやすくするためである。ここでいう密閉構造とは基本的に内部への水の侵入が無い構造でのことである。なお、自動改札機１は本実施の形態では例えば防噴流形（ＪＩＳ保護等級５）の防水である。防噴流形の防水とは、いかなる方向からの水の直接噴流を受けても有害な影響がないものをいう。なお、ここでは自動改札機１は、防噴流形（ＪＩＳ保護等級５）の防水の場合で説明するが、これより保護等級が下級（４級以下）、例えば防まつ形（ＪＩＳ保護等級４）や防雨形（ＪＩＳ保護等級３）であってもよい。また筐体１０を構成する部位例えば筐体本体部１１、ベース部１１ｄ、扉部１７、案内部１８には例えば雨水や日光に強い材質を用いるとよい。ここではステンレスを用いている。
【００４４】
ここで案内部１８についてさらに詳細に説明する。まず図６を参照して、扉部１７の平板の上辺部分の案内部１８について説明する。図６は、図２（ｂ）のＰ部分の詳細を示した断面図である。図示のように、筐体上部１１ａの下部に取り付けられた板金製の部材１８ｃの下部に略コの字形に形成された樋１８ａ形成されている。扉部１７の上部には、この樋１８ａにかぶるようなコの字形に形成された庇部１８ｂが形成されている。即ち樋１８ａは筐体本体部１１に、庇部１８ｂは扉部１７に設けられている。このように構成することで、例えば庇部１８ｂの外面（扉部１７の上面）から侵入した水は、樋１８ａに落ち、樋１８ａに案内される。このため電子部品収納部１４に落ちることがない。なお樋１８ａの大きさは実測にて決定するとよい。実測とは、実際に雨水の侵入実験を行い、樋１８ａが侵入した雨水を案内するのに十分な大きさがあるかを検証しながら決定することである。具体的な例としては樋１８ａの大きさは、自動改札機１では例えば２〜２０ｍｍ角、好ましくは３〜１５ｍｍ角程度の大きさとするとよい。
【００４５】
次に、図７を参照して、扉部１７の平板の側辺部分の案内部１８について説明する。まず端部支柱１１ｂ側の案内部１８について説明する。図７は、（ａ）が図２（ｃ）のＱ部分の詳細を示した断面図、（ｂ）が図２（ｃ）のＲ部分の詳細を示した断面図である。図示のように、端部支柱１１ｂの内側（電子部品収納部１４側）側面に取り付けられた板金製の部材１８ｅに略コの字形に形成された樋１８ａ形成されている。扉部１７（第１の保守用扉１７ａ）の端部支柱１１ｂ側の側面には、この樋１８ａにかぶるようなコの字形に形成された庇部１８ｂが形成されている。即ち樋１８ａは筐体本体部１１に、庇部１８ｂは扉部１７に設けられている。このように構成することで、例えば庇部１８ｂの外面（扉部１７の側面）から侵入した水は、この樋１８ａに案内される。このため制御装置２０に水がかかることがない。なお、上辺部分の樋１８ａと側辺部分の樋１８ａとは接続されており、例えば上辺部分の樋１８ａに溜まった雨水は、側辺部分の樋１８ａへ案内され、重力により側辺部分の樋１８ａを伝って、筐体本体部１１の下方へ落ちる。言い換えれば案内される。
【００４６】
次に図７（ｂ）を参照して、中央角パイプ１１ｃ側の案内部１８について説明する。図示のように、背板１２ａ（保護カバー１２）の内側（電子部品収納部１４側）に折り曲げられた部分１２ａ―１に取り付けられた板金製の部材１８ｆに略コの字形に形成された樋１８ａ形成されている。扉部１７（第２の保守用扉１７ｂ）の中央角パイプ１１ｃ側の端部側面には、この樋１８ａにかぶるようなコの字形に形成された庇部１８ｂが形成されている。即ち樋１８ａは筐体本体部１１に、庇部１８ｂは扉部１７に設けられている。さらにここでは、背板１２ａの折り曲げられた部分１２ａ―１の先端部は、外側（扉部１７方向）に向けて９０度曲げられている。このように構成することで、上述の端部支柱１１ｂ側の案内部１８と同様に、庇部１８ｂの外面から侵入した水は、この樋１８ａに案内される。このため制御装置２０に水がかかることがない。
【００４７】
また前述したように、背板１２ａは、中央角パイプ１１ｃの一部を隙間１１ｇをもって覆うように構成されているので、例えばブラケット１３ａを伝って水が内部へ侵入してきても、隙間１１ｇ即ち中央角パイプ１１ｃと背板１２ａとの間に落ちるので、制御装置２０に水がかかることがない。言い換えれば、仮に放熱のために背板１２ａの中央角パイプ１１ｃに対向する部分、さらに言えば背板１２ａの隙間１１ｇに隣接する側面部分１２ａ―２に通気孔を形成したとしても、侵入した水が隙間１１ｇに落ちるので、制御装置２０に水がかかることがない。またこの隙間１１ｇに空気の層が形成されることで、熱が上方向に逃げるので、筐体本体部１１内部の温度上昇を和らげることができ、制御装置２０にかかる負担を軽減できる。
【００４８】
ところで、図８に示すように、案内部１８は、扉部１７の第１の保守用扉１７ａと第２の保守用扉１７ｂとの境界部１７ｄにも設けられている。なお図８は、図２（ｃ）のＳ部分の詳細を示した断面図である。案内部１８は、扉部１７の第１の保守用扉１７ａと第２の保守用扉１７ｂとの境界部１７ｄに位置する、第１の保守用扉１７ａ及び第２の保守用扉１７ｂのいずれか一方に設けられた樋１８ａ’である。また、第１の保守用扉１７ａ及び第２の保守用扉１７ｂの他方には、樋１８ａ’にかぶるように構成された庇部１８ｂ’が設けられている。ここでは図示のように、第２の保守用扉１７ｂの端部が略コの字形に折り曲げられることで樋１８ａ’形成されている。また第１の保守用扉１７ａの端部側には、この樋１８ａ’にかぶるようなコの字形に折り曲げられることで庇部１８ｂ’が形成されている。即ち樋１８ａ’は第２の保守用扉１７ｂに、庇部１８ｂ’は第１の保守用扉１７ａに設けられている。なおここでの樋１８ａ’の深さは浅めに形成するとよい。これにより例えば内部（電子部品収納部１４）への張り出しを少なくすることができる。このように構成することで、例えば庇部１８ｂ’の外面（扉部１７の側面）から侵入した水は、この樋１８ａ’に案内される。このため制御装置２０に水がかかることがない。
【００４９】
ここで図９を参照して、返し部６１と第２の庇部６２についてさらに説明する。図９は、図２（ｂ）のＴ部分の詳細を示した断面図である。図示のように、底板１２ｂ（保護カバー１２）の両端部がクランク形に折り曲げられることで略Ｌ字形の返し部６１が鉛直方向に形成されている。また第１の保守用扉１７ａの下端部側及び背板１２ａ（保護カバー１２）の下端部側には、この返し部６１にかぶるようなコの字形に折り曲げられることで第２の庇部６２がそれぞれ対応して形成されている。即ち返し部６１は筐体本体部１１に、第２の庇部６２は第１の保守用扉１７ａ及び筐体本体部１１に設けられている。これにより例えば床面（地面）より跳ね上がった水は、この返し部６１によりこれ以上上方へ行くことがない。このため制御装置２０に水がかかることがない。
【００５０】
図３に戻って説明する。さらに自動改札機１は、利用者の通過を検知する利用者検知手段としての利用者検知センサ５０を備えている。本実施の形態では、利用者検知センサ５０は複数備えられている。具体的にはここでは、筐体本体部１１の筐体上部１１ａに等配分に８箇所設けられている。このようにすると、自動改札機１は、例えば利用者のゲート１ａ（図１参照）の通過状態、例えばゲート１ａを通過する利用者のゲート１ａ内での位置、通過方向が検出できるので、ゲート１ａの通過状態を正確に監視できる。言い換えれば正確な改札が行える。
【００５１】
ここで図１０を参照して、利用者検知センサ５０についてさらに詳細に説明する。なお（ａ）は自動改札機１の一部を上方から見た模式的部分断面図であり、（ｂ）は太陽光の利用者検知センサ５０への影響について説明する模式的断面図である。利用者検知センサ５０は、一対の筐体１０ａ、１０ｂの一方から放射される光を検出し、利用者の通過を検知する光検出器としての光電子センサ５１を備えている。さらに光電子センサ５１は、光検出部５２と光検出部５２に入射する光の不要部を遮光する遮光部としての絞り５４を含んで構成されている。光電子センサ５１は、光電子センサ５１に隣接して設けられた発光部５３を有し、一対の筐体１０ａ、１０ｂの他方には、発光部５３からの光を光検出部５２に向けて反射する再帰反射素子としての偏光リフレクタ５５を配置している。ここでは、光電子センサ５１が筐体１０ａに、偏光リフレクタ５５が筐体１０ｂに配置されている。またここでは発光部５３は光電子センサと一体に構成されている。光検出部５２は、例えばフォトダイオードである。
【００５２】
また筐体上部１１ａには、略透明な検出窓５７が設けられている。検出窓５７は、光電子センサ５１の発光部５３より放射される光及び放射された光で偏光リフレクタ５５で反射された反射光が透過できるものである。略透明とは、いわゆる透明な他僅かに色をつけたものも含む概念である。光電子センサ５１は、筐体上部１１ａ内のできるだけ奥側言い換えれば筐体上部１１ａの検出窓５７が設けられた面と反対側の面側に配置するとよい。このようにすることで、光検出部５２へ外乱光が入射しにくくなる。
【００５３】
まず偏光リフレクタ５５について説明する。偏光リフレクタ５５はいわゆる再帰反射素子である。再帰反射素子とは、入射した光を、主に入射してきた方向に反射させるものである。再帰反射素子は、例えばベースの上に小さいガラス球をちりばめたものや、小型の三角プリズムを多数細密に配置したものであり、一般に市販されているものを利用可能である。偏光リフレクタ５５は、偏光も行うものである。さらに言えば、例えば偏光方向が所定方向の光のみ入射してきた方向に反射させるものである。このようにすることで、外乱光が光電子センサ５１に入射しにくくなり感度が良くなる。
【００５４】
発光部５３は、典型的には半導体レーザやＬＥＤである。光電子センサ５１は、発光部５３に、半導体レーザやＬＥＤを使用することで、小型化を図ることができる。発光部５３から放射される光束は、略平行な光束である。また光束としては、半導体レーザのようなコヒーレント光を使っても良いが、特に無収差光学系であったり、大きな輝度を必要とするわけではないので、一般的な光源を用いても構わない。上記平行光束の光束径は、偏光リフレクタ５５の面積より小さく設定することがさらに好ましい。
【００５５】
さらに発光部５３は、後で説明する光検出部５２による光の検知の際に外乱光と区別するために、一定の周波数で変調を行う。変調は、例えば周期的に光の発生（放射）停止を繰り返し行うような動作である。さらに変調は、上述に加え、外乱光の強さにより、発光部５３の出力も変化させるようにしてもよい。なお発光部５３から放射された光は、偏光リフレクタ５５に入射し、反射する。反射した光は、元の光路を戻り、光検出部５２に入射し、光検出部５２により検出される。光電子センサ５１は、想定された光量が光検出部５２に戻ってきたかどうかにより利用者の存在を検出するものである。
【００５６】
また光電子センサ５１は、光検出部５２が受光した光のうち、発光部５３からの変調された周波数の光を増幅し、検出するように構成されている。このようにすると、光電子センサ５１は、偏光リフレクタ５５で反射された光と外乱光とを区別することができるので、より正確に利用者の存在を検出できる。
【００５７】
なお光電子センサ５１から偏光リフレクタ５５に至る光路の途中に利用者がいた場合には、放射された光が利用者にあたることによって散乱されるため、光検出部５２に戻ってくる光の光量は光路途中に利用者がいなかった場合に比べて非常に小さくなる。これを利用して光電子センサ５１は利用者の存在を検出できる。即ち利用者の通過を検出できる。
【００５８】
また（ｂ）に示すように、絞り５４は、自動改札機１が設置されたときに、太陽光が光検出部５２に入射しないように遮光するように構成されている。具体的には、図示のように、絞り５４は、太陽光が光電子センサ５１の光軸に対して最も浅い角度で入射しても、太陽光が光検出部５２に入射しないようにその大きさ、配置位置を決定する。
【００５９】
ここでは光検出器は光電子センサ５１の場合で説明したが、これに限られない。例えば、光検出器は筐体上部１１ａと一体に構成されるものであってもよい。この場合、検出窓５７が遮光部に対応する。あるいは検出窓５７と絞り５４とで遮光部を構成するようにしてもよい。
【００６０】
自動改札機１は、例えば筐体１０に取り付けられ、ゲート１ａの通過を規制できる不図示のゲート扉装置を備えるようにするとよい。ゲート扉装置は、ゲート扉を備え、このゲート扉を開状態にすることで、利用者がゲート１ａを通過可能にし、閉状態とすることで利用者のゲート１ａの通過を規制できるものとする。このようにすることで、例えばゲート１ａの通過を許されない利用者がゲート１ａを通過しようとした際に、ゲート扉装置のゲート扉を閉状態とすることでその通過を規制することができる。
【００６１】
以上のように本実施の形態の自動改札機１は、利用者の改札を行うための電子部品で構成された制御装置２０と、制御装置２０を収納する筐体１０であって、利用者が通過するためのゲート１ａを構成する筐体１０を備えている。さらに筐体１０は、電子部品を収納する筐体本体部１１と、筐体本体部１１に取り付けられ開状態とすることで制御装置２０の一部又は全部にアクセス可能な扉部１７と、筐体１０の内部へ侵入した水を制御装置２０にかからないように案内する案内部１８とを有するので、例えば制御装置２０に水がかかってしまうことで故障してしまうことがなく、屋外に設置しても問題がない。
【００６２】
また、扉部１７は、鉛直方向に向いて配置された矩形の平板で構成され、案内部１８は、扉部１７の平板の上辺部分と側辺部分に位置する、筐体本体部１１及び扉部１７のいずれか一方に設けられた樋１８ａであり、筐体本体部１１及び扉部１７の他方には、樋１８ａにかぶるように構成された庇部１８ｂが設けられているため、例えば筐体１０の内部へ侵入した水が樋１８ａにより案内されることで、制御装置２０に水がかかることがない。また、筐体１０は、扉部１７の平板の下辺部分に位置する、筐体本体部１１及び扉部１７のいずれか一方に外側に向けて設けられた返し部６１を有し、筐体本体部１１及び扉部１７の他方には、返し部６１にかぶるように構成された第２の庇部６２が設けられているため、例えば床面あるいは地面より跳ね上がった水が返し部６１により下方に案内されることで制御装置２０に水がかかることがない。
【００６３】
さらに扉部１７は、制御装置２０の第１の部分にアクセス可能な第１の保守用扉１７ａと、第１の部分と異なる第２の部分にアクセス可能な第２の保守用扉１７ｂとを有するので、例えば第１の保守用扉１７ａを係員が運用するのに必要な部分のみにアクセス可能な大きさとすることで、雨が降っている状態で電源等の操作をする場合であっても、第１の保守用扉１７ａのみ開状態とすれば良いので、不用な部分を露出させることがなく、故障を発生しにくい。また筐体１０は、制御装置２０の一部又は全部を覆う透明フィルム１９を有するので、第１の保守用扉１７ａを開放した場合であっても、制御装置２０が風雨に直接さらされることが無い。さらに透明フィルム１９を通して制御装置２０を目視あるいは操作できるので、例えば雨が降っていても、制御装置２０に雨水がかかることが無い。
【００６４】
さらに自動改札機１は、一対の筐体１０の一方から放射される光を検出し、利用者の通過を検知する光電子センサ５１を備えている。また光電子センサ５１は、光検出部５２と光検出部５２に入射する光の不要部を遮光する絞り５４を含んで構成され、絞り５４は、自動改札機１が設置されたときに、太陽光が光検出部５２に入射しないように遮光するように構成されている。さらに光電子センサ５１は、光検出部５２に隣接して設けられた発光部５３を有し、一対の筐体１０の他方には、発光部５３からの光を光検出部５２に向けて反射する偏光リフレクタ５５を配置したものであるので、例えば外乱光による影響が少なく、屋外であっても正確に利用者の通過を検出できる。
【図面の簡単な説明】
【００６５】
【図１】本発明の実施の形態に係る自動改札機の外観を示す斜視図である。
【図２】本発明の実施の形態に係る自動改札機の筐体について説明する図であり、（ａ）は側面図、（ｂ）は（ａ）のＡ−Ａ’断面図、（ｃ）は（ａ）のＢ−Ｂ’断面図である。
【図３】図２での、筐体で扉部を取り除いた場合を示す側面図である。
【図４】本発明の実施の形態に係る筐体の扉部について説明する図であり、（ａ）は第１の保守用扉のみ開放した状態を示す側面図、（ｂ）は第１の保守用扉及び第２の保守用扉を開放した状態を示す側面図である。
【図５】本発明の実施の形態に係る透明フィルムについて説明する側面図である。
【図６】図２での、Ｐ部分の詳細を示す断面図である。
【図７】図２での、案内部の詳細を示す断面図であり、（ａ）はＱ部分の詳細を示す断面図、（ｂ）はＲ部分の詳細を示す断面図である。
【図８】図２での、Ｓ部分の詳細を示す断面図である。
【図９】図２での、Ｔ部分の詳細を示す断面図である。
【図１０】本発明の実施の形態に係る利用者検知センサについて説明するであり、（ａ）は自動改札機の一部を上方から見た模式的部分断面図であり、（ｂ）は太陽光の利用者検知センサへの影響について説明する模式的断面図である。
【符号の説明】
【００６６】
１  自動改札機
３  ＩＣカード
１０、１０ａ、１０ｂ  筐体
１１  筐体本体部
１１ａ  筐体上部
１１ｂ  端部支柱
１１ｃ  中央角パイプ
１１ｄ  ベース部
１２  保護カバー
１２ａ  背板
１２ｂ  底板
１３  ガラス板
１４  電子部品収納部
１５  カードリーダ収納部
１７  扉部
１７ａ  第１の保守用扉
１７ｂ  第２の保守用扉
１８  案内部
１８ａ  樋
１８ｂ  庇部
１９  透明フィルム
２０  制御装置
２１  制御基板
２５  電源装置
３０  カードリーダ
５０  利用者検知センサ
５１  光電子センサ
５２  光検出部
５３  発光部
５４  遮光部
５５  偏光リフレクタ
【図１】
2005235069.tif 000003
【図２】
2005235069.tif 000004
【図３】
2005235069.tif 000005
【図４】
2005235069.tif 000006
【図５】
2005235069.tif 000007
【図６】
2005235069.tif 000008
【図７】
2005235069.tif 000009
【図８】
2005235069.tif 000010
【図９】
2005235069.tif 000011
【図１０】
2005235069.tif 000012
【手続補正書】
【提出日】平成17年3月1日(2005.3.1)
【手続補正１】
【補正対象書類名】明細書
【補正対象項目名】００４１
【補正方法】変更
【補正の内容】
【００４１】
図５に示すように、筐体１０は、制御装置２０の一部又は全部を覆う透明なカバーとしての透明フィルム１９を有している。透明フィルム１９は可撓性のある薄い透明なフィルムである。本実施の形態では透明なカバーは透明フィルムである。透明フィルム１９は、第１の保守用扉１７ａの開放で露出する制御装置２０の部分、言い換えれば、第１の部分を覆う程度の大きさを有している。ここでは、主制御基板２２と、電源装置２５で第１の保守用扉１７ａを開放した際に露出する部分を覆う程度の大きさである。透明フィルム１９を備えることで、第１の保守用扉１７ａを開放した場合であっても、制御装置２０が風雨に直接さらされることが無い。さらに透明フィルム１９を通してコード表示部２２ａを目視でき、あるいは解除スイッチ２２ｂや電源スイッチ２５ａを透明フィルム１９を介して操作できるので、例えば雨が降っていても、制御装置２０に雨水がかかることが無い。